(57)【要約】【課題】開栓時の流水異音が小さく耐食性及び加工性に優れた水道用節水具及び、節水具の取付性の向上に効果的な節水具取付スペーサーの提供を目的とする。【解決手段】水道用水栓とスパウト部との接続部に取り付けられる節水具であって、円柱状の本体部の流入側外周面にフランジ部を形成し、前記円柱状の本体部の流出側に当該本体部の外径より径が小さい円柱状の段差部を形成し、前記円柱状の本体部の流入面から流出面に向けて少なくとも３つ以上の直線状の貫通流路孔を形成し、当該３つ以上の貫通流路孔が本体部の軸中心に対して略同心円状に配設されるとともに、各貫通流路孔中心を結ぶ同心円径が流入面より流出面の方が大きいことを特徴とする。【選択図】  図１
2005113466.tif 000002
【特許請求の範囲】
【請求項１】
水道用水栓とスパウト部との接続部に取り付けられる節水具であって、円柱状の本体部の流入側外周面にフランジ部を形成し、前記円柱状の本体部の流出側に当該本体部の外径より径が小さい円柱状の段差部を形成し、前記円柱状の本体部の流入面から流出面に向けて少なくとも３つ以上の直線状の貫通流路孔を形成し、当該３つ以上の貫通流路孔が本体部の軸中心に対して略同心円状に配設されるとともに、各貫通流路孔中心を結ぶ同心円径が流入面より流出面の方が大きいことを特徴とする水道用節水具。
【請求項２】
ＳＵＳ材を用いて製作されたことを特徴とする請求項１記載の水道用節水具。
【請求項３】
請求項１に記載の節水具を、水道水栓とスパウト部との接続部に取り付ける際に用いられるスペーサーであって、節水具の円柱状の本体部を挿入する円筒状のスペーサー本体部の流入側外周面にフランジ部を形成し、前記円筒状のスペーサー本体部の流出側円筒壁の一部に切り欠き部を形成したことを特徴とする水道用節水具取付スペーサー。
【発明の詳細な説明】
【技術分野】
【０００１】
本発明は、業務用あるいは家庭用等の水道水の節水に効果的な、水道水栓とスパウト部の接続部に取り付けられる節水具及びその取り付けスペーサーに関する。
【背景技術】
【０００２】
業務用、家庭用を問わずに、一般に水道配管の端末には水を供給するためのスパウト（蛇口の鼻）が水栓器具を介して取り付けられている。
【０００３】
水道管内の水圧は一般に２ｋｇｆ／ｃｍ２以上あるので、水栓を開くと水の勢いが必要以上に強い場合が多く、水資源の無駄になっていたことから蛇口から放水される水量を節減する節水具が提案されている。
【０００４】
例えば、実用新案登録第２５６２２８３号公報には、水栓とスパウト部との接続部に挿入される２つの流路を有する円柱状の節水具が開示されている。
しかし、この流路では２つに分流した水の流れが合流の際に直接的に突流し、雑音が発生しやすいという問題があった。
特に、水栓を大きく開いて使用すると振動音となる場合もあった。
【０００５】
また、実用新案登録第３０９５７８７号公報には、３つの孔がスパイラル状に形成された節水コマが開示されている。
しかし、スパイラル状に孔加工するのは加工性が悪く、高価になるだけでなく、未だに雑音の発生防止は不充分であった。
【０００６】
従来の節水具は、黄銅材を用いて製作されていたが、黄銅材のＺｎ成分が溶出して腐食しやすい問題や、Ｐｂ成分が溶出して環境負荷が大きいという課題もあった。
【０００７】
また、水栓とスパウト部の接続部に節水具を挿着する際に、一旦スパウト部を取り外し、スパウト部の端部管内に節水具を挿入し、水栓側に螺着することになる。
水栓側の接続部が下に向いている構造の場合には、節水具をスパウト部側に上から挿入して節水具のフランジ部にて支えた状態でスパウト部の接続部を水栓接続部に対して下側から臨むように配管接続するので、挿着した節水具が接続作業時に落下する恐れはないが、例えば図６に示すように水栓側にスパウト部を上側から接続する場合に、スパウト部の開口部に節水具を仮挿着した状態で接続作業をする際にこの節水具が下に落下しやすいという問題があった。
【０００８】
【特許文献１】実用新案登録第２５６２２８３号公報
【特許文献２】実用新案登録第３０９５７８７号公報
【発明の開示】
【発明が解決しようとする課題】
【０００９】
本発明は上記技術的背景に鑑みて、開栓時の流水異音が小さく耐食性及び加工性に優れた水道用節水具及び、節水具の取付性の向上に効果的な節水具取付スペーサーの提供を目的とする。
【課題を解決するための手段】
【００１０】
請求項１記載に係る発明は、水道用水栓とスパウト部との接続部に取り付けられる節水具であって、円柱状の本体部の流入側外周面にフランジ部を形成し、前記円柱状の本体部の流出側に当該本体部の外径より径が小さい円柱状の段差部を形成し、前記円柱状の本体部の流入面から流出面に向けて少なくとも３つ以上の直線状の貫通流路孔を形成し、当該３つ以上の貫通流路孔が本体部の軸中心に対して略同心円状に配設されるとともに、各貫通流路孔中心を結ぶ同心円径が流入面より流出面の方が大きいことを特徴とする。
【００１１】
このように本発明においては、円柱状の本体部の流入面から流出面に向けて、少なくとも３つ以上の直線状の貫通流路孔を形成する際に、この３つ以上の孔を円柱状本体部の軸中心に対して同心円状にかつ、流入面から流出面に向けて放射状に外周側に開く方向に配置し、更に、節水具の円柱状本体部の流出側に外周に沿って段差部を形成したことにより、流水時に雑音（異音）が発生しなくなった。
なお、孔の数は多い方が雑音は少なくなるが、孔径を小さくしないと節水率が下がるので加工性を考慮して設定される。
【００１２】
請求項２に記載のように節水具をＳＵＳ材を用いて製作すると、従来の黄銅材のように変色や腐食が認められず、長期間の継続使用が可能になる。
【００１３】
請求項３に記載のスペーサーは必要に応じて用いられるもので、水道水栓とスパウト部との接続部に取り付ける際に用いられるスペーサーであって、節水具の円柱状の本体部を挿入する円筒状のスペーサー本体部の流入側外周面にフランジ部を形成し、前記円筒状のスペーサー本体部の流出側円筒壁の一部に切り欠き部を形成したことを特徴とする。
【００１４】
円筒状のスペーサーは樹脂等で製作され、円筒壁の一部に切り欠き部を形成したので、スペーサーの円筒内側に節水具の円柱状本体部を挿入し、スペーサーとともにスパウト部に挿着するとスパウト部の内周壁にスペーサー本体の外周部が押され、節水具を挟持するように作用する。
【発明の効果】
【００１５】
本発明においては、節水具の円柱状本体部に円柱軸中心に対して同心円放射状に３つ以上の直線状貫通孔を設けたことにより、分流された流れが合流する際に生じる雑音（異音）が小さくなる。
特に、円柱状本体部の流出側外周部に本体部より外径が小さくなるように段差部を形成すると、より雑音が小さくなる。
【発明を実施するための最良の形態】
【００１６】
図１に本発明に係る節水具の外観斜視図を示し、図２に流入面側から見た平面図を示し、図３に側面図を示す。
節水具１０は、ＳＵＳ材の丸棒等を素材として切削加工等により製作される。
節水具１０は、円柱状の本体部１１の流入側（水圧が負荷される側）の外周面にフランジ部１２が形成され、流出側（放水側）に円柱状の段差部１３が形成されている。
スパウト部端部に対してフランジ部１２が当接する節水具の流入面１５から流出面１６に向けて３つの貫通流路孔１４ａ、１４ｂ、１４ｃが形成されている。
この貫通流路孔配置例を図１及び図２にて説明すると、円柱状の本体部の外径が９ｍｍの場合にて流入面の孔口１５ａ、１５ｂ、１５ｃの中心を結ぶ同心円の半径Ｒ１＝２ｍｍ流出面の孔口１６ａ、１６ｂ、１６ｃの中心を結ぶ同心円の半径Ｒ２＝３ｍｍ程度である。  また、貫通流路孔の内径は約２ｍｍである。
なお、上記配置寸法はあくまでも一例であり、節水具の外径や取り付けられる水栓の使用圧によっても変更される。
段差部１３の寸法例を図３にて説明すると、ｄ＝０．５ｍｍ、ｈ＝２ｍｍ程度である。
このような節水具を図４に示すように、スパウト部２の接続部２ｂに挿着し、水栓１の接続部１ａにナット２ａで締結する。
この図４に示した例の場合には、水栓バルブ１ｂの全開状態で節水具なしで１８Ｌ／分の流出量であったものが節水具を取り付けると、９Ｌ／分と約半分になったが、水の流れに違和感が無く、雑音も気にならない程度であった。
【００１７】
図６に示すように、スパウト部を上から下に向けて取り付けるタイプの場合には、スパウト部の接続部２ｂに直接節水具１０を挿着すると取付作業時に落下する場合が多い。
そこで、図５に示すようなスペーサー２０を図６に示すようにスパウト部の内周と節水具１０の間に介在させる。
スペーサー２０は、円筒状のスペーサー本体部２１の流入側外周面にフランジ部２３が形成され、流出側２２の円筒壁に切り欠き部２２ｂ、２２ｂが形成されている。
スパウト部内周にスペーサーを挿入すると、円筒壁がｆ１、ｆ２のように内側に押されるのでこの力により節水具が挟持され、取り付け時に下向きにしても節水具が落下しない。
【図面の簡単な説明】
【００１８】
【図１】本発明に係る節水具の斜視図を示す。
【図２】本発明に係る節水具の平面図を示す。
【図３】本発明に係る節水具の側面図を示す。
【図４】節水具の蛇口への取付例を示す。
【図５】本発明に係るスペーサーを示す。
【図６】スペーサーを用いた節水具の取付例を示す。
【符号の説明】
【００１９】
１    水栓（具）
１ａ  水栓のスパウト接続部（ねじ部）
１ｂ、１ｃ    バルブ開閉つまみ
２    スパウト部
２ａ  スパウト取付ナット
２ｂ  スパウト部の接続部
１０  節水具
１１  節水具の円柱状本体部
１２  節水具のフランジ部
１３  節水具の段差部
１４ａ、１４ｂ、１４ｃ    貫通流路孔
１５    節水具の流入面
１５ａ、１５ｂ、１５ｃ    流入面の孔口
１６    節水具の流出面
１６ａ、１６ｂ、１６ｃ    流出面の孔口
２０    スペーサー
２１    スペーサーの円筒状本体部
２２    スペーサーの流出側
２２ａ  スペーサーの円筒壁の切り欠き部
２３    スペーサーのフランジ部
【図１】
2005113466.tif 000003
【図２】
2005113466.tif 000004
【図３】
2005113466.tif 000005
【図４】
2005113466.tif 000006
【図５】
2005113466.tif 000007
【図６】
2005113466.tif 000008